(57)【要約】    【課題】下ケースに嵌合される上ケースと電子部品が備えられたメイン基板とを使用して、リードスイッチが備えられメイン基板の一部として切り出されるリード基板および当該メイン基板をインターホンの機器内に格納して固定させることにより、リードスイッチを制約なく実装する。    【解決手段】下ケースから分離した上ケース１ａの内面側より突設されている成形リブ１３、１３にてリードスイッチ２０が備えられたリード基板２の一端を狭持させ、リード基板の他端である凸状部２ａを電子部品３０が備えられたメイン基板３に穿設されている穴３ａへと差し込み、リード基板の他端である凸状部の回路パターンとメイン基板の回路パターンとをハンダにて接続する。また、リード基板は、メイン基板の一部を切り出して形成する。    【選択図】  図２
2005051529.tif 000002
【特許請求の範囲】
【請求項１】
送受話を行うためのハンドセット（１２）を掛ける上ケース（１ａ）と前記上ケースに嵌合される下ケース（１ｂ）との間に、前記ハンドセットを持ち上げることによりオンされて送受話に入り、前記ハンドセットを前記上ケースに戻すことによりＯＦＦとなり送受話を終えるためのリードスイッチ（２０）を備えたリード基板（２）および前記送受話を行うための電子部品（３０）を備えたメイン基板（３）を格納し、
前記リード基板の一端を前記上ケースに固定し、前記リード基板の他端の凸状部（２ａ）を前記メイン基板に穿設させた穴（３ａ）へと差し込み、前記リード基板の凸状部の回路パターンと前記メイン基板の回路パターンとをハンダで接続することにより、前記リード基板および前記メイン基板を前記上ケースに固定することを特徴とするインターホン基板固定構造。
【請求項２】
送受話を行うためのハンドセット（１２）を掛ける上ケース（１ａ）と前記上ケースに嵌合される下ケース（１ｂ）との間に、前記ハンドセットを持ち上げることによりオンされて送受話に入り、前記ハンドセットを前記上ケースに戻すことによりＯＦＦとなり送受話を終えるためのリードスイッチ（２０）を備えたリード基板（２）および前記送受話を行うための電子部品（３０）を備えたメイン基板（３）を格納し、
前記リード基板の一端を前記上ケースに固定し、前記リード基板の他端の凸状部（２ａ）を前記メイン基板に穿設させた穴（３ａ）へと差し込み、前記リード基板と前記メイン基板とをコネクタ（２１、３１）にて接続することを特徴とするインターホン基板固定構造。
【請求項３】
送受話を行うためのハンドセット（１２）を掛ける上ケース（１ａ）と前記上ケースに嵌合される下ケース（１ｂ）との間に、前記ハンドセットを持ち上げることによりオンされて送受話に入り、前記ハンドセットを前記上ケースに戻すことによりＯＦＦとなり送受話を終えるためのリードスイッチ（２０）を備えたリード基板（２）および前記送受話を行うための電子部品（３０）を備えたメイン基板（３）を格納し、
前記上ケースと前記下ケースとで前記リード基板を挟持して固定し、前記リード基板と前記メイン基板とをコネクタ（２１、３１）にて接続することを特徴とするインターホン基板固定構造。
【請求項４】
前記リード基板として前記メイン基板の一部を用いたことを特徴とする請求項１乃至請求項３記載のうち何れか１項記載のインターホン基板固定構造。
【請求項５】
前記上ケースに、前記リード基板を挟持して固定する成形リブ（１３、１３）を備えたことを特徴とする請求項１乃至請求項４記載のうち何れか１項記載のインターホン基板固定構造。
【発明の詳細な説明】
【技術分野】
【０００１】
本発明はインターホン基板固定構造に係り、特に、リードスイッチが制限なく実装された基板を、インターホンの機器内に格納して固定させるインターホン基板固定構造に関する。
【背景技術】
【０００２】
従来から、回路パターンが形成された実装基板、例えば、プリント配線基板に、ＩＣ（Integrated Circuit）と呼称される半導体集積回路装置とともにリードスイッチを実装させた技術（以下、実装技術という。）が提案されている（例えば、特許文献１を参照）。
【０００３】
従来例の実装技術において、リードスイッチをプリント配線基板に実装させるためには、リードスイッチ本体を成すガラス管の両端部から突出する端子を、ほぼ直角に折り曲げ、スルーホールと称されている部品実装用の穴に当該端子を挿入し、プリント配線基板の裏面で半田付等により永久固定していた。
【０００４】
【特許文献１】実開平４−１０８８３９号公報（段落番号００２、００３、００４）
【発明の開示】
【発明が解決しようとする課題】
【０００５】
しかしながら、従来例の実装技術によれば、リードスイッチが実装されるプリント配線基板をインターホン、例えば、住戸内に設置される室内親機の上ケースに固定させる場合、居住者が用いるハンドセットの取り上げの有無によりＯＮ／ＯＦＦが切り換わるリードスイッチの実装位置は、プリント配線基板の所定の位置とせねばならず、このリードスイッチとともに同一のプリント配線基板に電子部品、例えば、当該リードスイッチのＯＮ／ＯＦＦに起因して送受話に入る／送受話を終えるための電子部品を実装させると、リードスイッチの実装位置が制約される難点があった。
【０００６】
本発明は、上述の難点を解消するためになされたもので、下ケースに嵌合される上ケースと電子部品が備えられたメイン基板とを使用して、リードスイッチが備えられメイン基板の一部として切り出されるリード基板および当該メイン基板をインターホンの機器内に格納して固定させることにより、リードスイッチを制約なく実装できるインターホン基板固定構造を提供することを目的としている。
【課題を解決するための手段】
【０００７】
上述の目的を達成するため、本発明の第１の態様であるインターホン基板固定構造は、送受話を行うためのハンドセットを掛ける上ケースと上ケースに嵌合される下ケースとの間に、ハンドセットを持ち上げることによりＯＮされて送受話に入り、ハンドセットを上ケースに戻すことによりＯＦＦとなり送受話を終えるためのリードスイッチを備えたリード基板および送受話を行うための電子部品を備えたメイン基板を格納している。リード基板の一端を上ケースに固定し、リード基板の他端の凸状部をメイン基板に穿設させた穴に差し込み、メイン基板とリード基板の凸状部の回路パターンとをハンダで接続することにより、リード基板およびメイン基板を上ケースに固定する構造である。
【０００８】
また、本発明の第２の態様であるインターホン基板固定構造は、送受話を行うためのハンドセットを掛ける上ケースと上ケースに嵌合される下ケースとの間に、ハンドセットを持ち上げることによりＯＮされて送受話に入り、ハンドセットを上ケースに戻すことによりＯＦＦとなり送受話を終えるためのリードスイッチを備えたリード基板および送受話を行うための電子部品を備えたメイン基板を格納している。リード基板の一端を上ケースに固定し、リード基板の他端の凸状部をメイン基板に穿設させた穴に差し込み、リード基板とメイン基板とをコネクタにて接続する構造である。
【０００９】
また、本発明の第３の態様であるインターホン基板固定構造は、送受話を行うためのハンドセットを掛ける上ケースと上ケースに嵌合される下ケースとの間に、ハンドセットを持ち上げることによりＯＮされて送受話に入り、ハンドセットを上ケースに戻すことによりＯＦＦとなり送受話を終えるためのリードスイッチを備えたリード基板および送受話を行うための電子部品を備えたメイン基板を格納している。リード基板の一端を上ケースに固定し、リード基板の他端の凸状部をメイン基板に穿設させた穴に差し込み、リード基板とメイン基板とをコネクタにて接続する構造である。
【００１０】
また、本発明の第１、第２、第３の各態様は本発明の第４の態様であるインターホン基板固定構造において、リード基板としてメイン基板の一部を用いている。
【００１１】
また、本発明の第１、第２、第３、第４の各態様は本発明の第５の態様であるインターホン基板固定構造において、上ケースに、リード基板を挟持して固定する成形リブを有している。
【発明の効果】
【００１２】
本発明のインターホン基板固定構造の第１の態様によれば、下ケースに嵌合される上ケースにリードスイッチが備えられたリード基板を固定し、このリード基板の凸状部をメイン基板に穿設された穴へと差し込み、リード基板の凸状部の回路パターンとメイン基板の回路パターンとをハンダにて接続することにより、リード基板およびメイン基板をインターホンの機器内に格納して容易に固定できるばかりでく、リードスイッチを制約なくリード基板に実装できる。
【００１３】
また、本発明のインターホン基板固定構造の第２の態様によれば、下ケースに嵌合される上ケースにリードスイッチが備えられたリード基板を固定し、このリード基板の凸状部をメイン基板に穿設された穴へと差し込み、リード基板に備えられたコネクタとメイン基板に備えられたコネクタとを接続することにより、リード基板およびメイン基板をインターホンの機器内に格納して容易に固定できるばかりでなく、リードスイッチを制約なくリード基板に実装できる。
【００１４】
また、本発明のインターホン基板固定構造の第３の態様によれば、下ケースに嵌合される上ケースにリードスイッチが備えられたリード基板を固定し、このリード基板を上ケースと下ケースとで狭持させ、リード基板に備えられたコネクタとメイン基板に備えられたコネクタとを接続することにより、リード基板をインターホンの機器内に格納して容易に固定できるばかりでなく、リードスイッチを制約なくリード基板に実装できる。
【００１５】
また、本発明のインターホン基板固定構造の第４の態様によれば、下ケースに嵌合される上ケースにリード基板を固定させるにあたり、上ケースの内面側より突設された成形リブを用いて狭持して容易に固定できる。
【００１６】
また、本発明のインターホン基板固定構造の第５の態様によれば、リード基板を、メイン基板の一部を切り出して形成することができ、コストが低く抑えられる。
【発明を実施するための最良の形態】
【００１７】
以下、本発明のインターホン基板固定構造を適用した最良の実施の形態例について、図面を参照して説明する。
【００１８】
本発明の実施例によるインターホン基板固定構造が適用されるインターホンとして、図１（ａ）は、室内親機１の外観構成であり居住者が来訪者との間で通話を行うために用いるハンドセット１２が取り上げられている状態（通話状態）を示す斜視図であり、図１（ｂ）は、同様に室内親機１の外観構成であり上述のハンドセット１２が戻されている状態（非通話状態）を示す斜視図である。
【００１９】
図１（ａ）、（ｂ）の各斜視図に示す室内親機１は、住戸外である玄関に設置される玄関子機（図示せず）にて呼出操作を行った来訪者からの呼び出しを報知するための呼出音を放音するスピーカ（拡声スピーカ）１０、玄関子機のカメラ（図示せず）にて撮像された来訪者の映像（来訪者周辺の映像を含む）を出画するためのＬＣＤ（Liquid Crystal Display）、有機ＥＬ（Electroluminesence）等のディスプレイ１１が配設され、住戸内に在室中の居住者が来訪者との間で送受話（通話）を行うための磁石１２ａを有するハンドセット１２が掛けられた上ケース１ａと、上ケース１ａに嵌合される下ケース１ｂとで構成され、嵌合された上ケース１ａと下ケース１ｂとの間には、図２（ａ）の斜視図に示すリード基板２および図２（ｂ）の斜視図に示すメイン基板３が格納されている。
【００２０】
また、図２（ａ）は、リード基板２の構造を示す斜視図であり、図２（ｂ）は、メイン基板３の構造を示す斜視図である。
【００２１】
図２（ａ）の斜視図において、リード基板２には、居住者が図１（ａ）の斜視図に示すように磁石１２ａを有するハンドセット１２を持ち上げることによりＯＮされて送受話に入り、図１（ｂ）の斜視図に示すように磁石１２ａを有するハンドセット１２を上ケース１ａに戻すことによりＯＦＦとなり送受話を終えるリードスイッチ２０と、メイン基板３に備えられる後述するコネクタ３１へと接続されるコネクタ（以下、リード基板用コネクタという。）２１とが備えられ、このリード基板２の一端（一端側）は、上ケース１ａの内面側より突設された成形リブ１３、１３にて狭持されており、リード基板２の他端（他端側）は、凸状（以下、凸状部２ａという。）に形成されている。
【００２２】
図２（ｂ）の斜視図において、メイン基板３には、居住者が図１（ａ）、（ｂ）の各斜視図に示すハンドセット１２を用いて送受話を行うための電子部品３０と、リード基板２に備えられたリード基板用コネクタ２１へと接続されるコネクタ（以下、メイン基板用コネクタという。）３１とが備えられており、リード基板２の他端に形成された凸状部２ａを差し込むための穴３ａが穿設されている。
【００２３】
このような本発明の実施例によるインターホン基板固定構造が適用されるインターホンとして、以下、室内親機１の機器内にリード基板２およびメイン基板３を格納して固定させる方法について、図面を参照して説明する。
【００２４】
図１（ａ）、（ｂ）および図２（ａ）、（ｂ）の各斜視図において、室内親機１の機器内にリード基板２およびメイン基板３を格納して固定させる第１の方法として、予め嵌合されている上ケース１ａと下ケース１ｂとを分離し、分離した上ケース１ａの内面側より突設されている成形リブ１３、１３にてリード基板２の一端を狭持させ、リード基板２の他端である凸状部２ａをメイン基板３に穿設されている穴３ａへと差し込み、リード基板２の他端である凸状部２ａの回路パターンとメイン基板３の回路パターンとをハンダにて接続することにより、リード基板２およびメイン基板３を上ケース１ａに容易に固定できるばかりでなく、リード基板２は、電子部品３０が備えられたメイン基板３の一部を切り出して形成されているため、リードスイッチ２０を制約なくリード基板２に実装でき、また、コストが低く抑えられる。
【００２５】
なお、上述の実施例では、室内親機１の機器内にリード基板２およびメイン基板３を格納して固定させる方法として、リード基板２とメイン基板３との接続をハンダを用いて行ったが、リード基板２とメイン基板３との接続はこれに限定されず、以下、２種の異なる接続も好適である。
【００２６】
図１（ａ）、（ｂ）および図２（ａ）、（ｂ）の各斜視図において、室内親機１の機器内にリード基板２およびメイン基板３を格納して固定させる第２の方法として、予め嵌合されている上ケース１ａと下ケース１ｂとを分離し、分離した上ケース１ａの内面側より突設されている成形リブ１３、１３にてリード基板２の一端を狭持させ、リード基板２の他端である凸状部２ａをメイン基板３に穿設されている穴３ａへと差し込み、リード基板２に備えられているリード基板用コネクタ２１とメイン基板３に備えられているメイン基板用コネクタ３１とを接続することにより、リード基板２およびメイン基板３を上ケース１ａに容易に固定できるばかりでなく、リード基板２は、電子部品３０が備えられたメイン基板３の一部を切り出して形成されているため、リードスイッチ２０を制約なくリード基板２に実装でき、さらに、コストが低く抑えられる。
【００２７】
また、図１（ａ）、（ｂ）および図２（ａ）、（ｂ）の各斜視図において、室内親機１の機器内にリード基板２およびメイン基板３を格納して固定させる第３の方法として、予め嵌合されている上ケース１ａと下ケース１ｂとを分離し、分離した上ケース１ａと下ケース１ｂとの嵌合によりリード基板２を狭持させ、リード基板２に備えられているリード基板用コネクタ２１とメイン基板３に備えられているメイン基板用コネクタ３１とを接続することにより、リード基板２およびメイン基板３を上ケース１ａに容易に固定できるばかりでなく、リード基板２は、電子部品３０が備えられたメイン基板３の一部を切り出して形成されているため、リードスイッチ２０を制約なくリード基板２に実装でき、さらに、コストが低く抑えられる。
【図面の簡単な説明】
【００２８】
【図１】図１（ａ）、（ｂ）は、本発明の実施例によるインターホン基板固定構造が適用されるインターホンとして、室内親機の外観構成をそれぞれ示す斜視図である。
【図２】図２（ａ）は、本発明の実施例によるインターホン基板固定構造が適用されるインターホンとして、室内親機の機器内に格納されるリード基板の構造を示す斜視図であり、図２（ｂ）は、リード基板と同様に室内親機の機器内に格納されるメイン基板の構造を示す斜視図である。
【符号の説明】
【００２９】
１ａ……上ケース
１ｂ……下ケース
２……リード基板
２ａ……凸状部
３……メイン基板
３ａ……穴
１２……ハンドセット
１３、１３……成形リブ
２０……リードスイッチ
２１……コネクタ（リード基板用コネクタ）
３０……電子部品
３１……コネクタ（メイン基板用コネクタ）
【図１】
2005051529.tif 000003
【図２】
2005051529.tif 000004